(57)【特許請求の範囲】
【請求項１】
取引処理装置と、センタと、がデータ通信可能に接続され、カード取引を処理する取引処理システムにおいて、
前記取引処理装置は、
カード取引にかかる取引認証データを入力する取引認証データ入力手段と、
前記取引認証データ入力手段で入力されたカード取引にかかる取引認証データを前記センタに送信する取引データ送信手段と、を備え、
前記センタは、
前記取引処理装置から送信されてきた前記取引認証データに、処理通番を採番する採番手段と、
前記採番手段が前記取引認証データに採番した処理通番を、この取引認証データに基づいてカード取引の可否を認証した認証結果に含ませて、前記取引処理装置に返信する認証結果返信手段と、を備え、
さらに、前記取引処理装置は、
前記センタから返信された認証結果に含まれている処理通番を用いて抽選し、当落を判定する抽選手段と、
前記抽選手段による抽選結果が当選であったカード取引について、前記取引データ送信手段が前記センタに送信した前記取引認証データの業務区分コードを、取消を示すコードに書き換え、この業務区分コードを書き換えた取引認証データを再度前記センタに送信し、当該カード取引を取り消す取消処理を行う取消手段と、を備えている、
取引処理システム。
【請求項２】
前記取引処理装置と、前記センタと、は、補償装置を介してデータ通信可能に接続されており、
前記補償装置は、
前記取引処理装置が設置されている店舗毎に、前記取引処理装置の取消手段が取消処理を行ったカード取引の取引金額を集計する集計手段と、
店舗毎に、前記集計集計手段が集計した、取消処理が行われたカード取引の取引金額を、金融機関に開設されている統一口座から、その店舗が金融機関に開設している店舗口座に振り込むことを、前記統一口座が開設されている金融機関のホスト装置に指示する振込指示手段と、を備えている、
請求項１に記載の取引処理システム。
【請求項３】
前記取引処理装置は、
前記抽選手段が、認証結果に含まれている処理通番の所定の桁が予め設定した値であったカード取引を当選とする手段である、
請求項１または２に記載の取引処理システム。
【請求項４】
カード取引を処理する取引処理装置において、
カード取引にかかる取引認証データを入力する取引認証データ入力手段と、
前記取引認証データ入力手段で入力されたカード取引にかかる取引認証データをセンタに送信する取引データ送信手段と、
前記センタから、前記取引認証データに採番された処理通番を含んでいる、この取引認証データに基づいてカード取引の可否を認証した認証結果の返信を受信する認証結果受信手段と、
前記認証結果受信手段で受信したセンタからの認証結果に含まれている処理通番を用いて抽選し、当落を判定する抽選手段と、
前記抽選手段による抽選結果が当選であったカード取引について、前記取引データ送信手段が前記センタに送信した前記取引認証データの業務区分コードを、取消を示すコードに書き換え、この業務区分コードを書き換えた取引認証データを再度前記センタに送信し、当該カード取引を取り消す取消処理を行う取消手段と、を備えている取引処理装置。
【請求項５】
前記抽選手段は、認証結果に含まれている処理通番の所定の桁が予め設定した値であったカード取引を当選とする手段である、請求項４に記載の取引処理装置。
【請求項６】
取引処理装置と、センタと、がデータ通信可能に接続され、カード取引を処理する取引処理方法において、
前記取引処理装置は、
取引データ送信手段により、取引認証データ入力手段で入力されたカード取引にかかる取引認証データを前記センタに送信し、
前記センタは、
採番手段により、前記取引処理装置から送信されてきた前記取引認証データに採番し、
認証結果返信手段により、前記採番手段が前記取引認証データに採番した処理通番を、この取引認証データに基づいてカード取引の可否を認証した認証結果に含ませて、前記取引処理装置に返信し、
さらに、前記取引処理装置は、
抽選手段により、前記センタから返信された認証結果に含まれている処理通番を用いて抽選し、当落を判定し、
取消手段により、前記抽選手段による抽選結果が当選であったカード取引について、前記取引データ送信手段が前記センタに送信した前記取引認証データの業務区分コードを、取消を示すコードに書き換え、この業務区分コードを書き換えた取引認証データを再度前記センタに送信し、当該カード取引を取り消す取消処理を行う、
取引処理方法。
【請求項７】
また、補償装置は、
集計手段により、前記取引処理装置が設置されている店舗毎に、前記取引処理装置の取消手段が取消処理を行ったカード取引の取引金額を集計し、
振込指示手段により、店舗毎に、前記集計集計手段が集計した、取消処理が行われたカード取引の取引金額を、金融機関に開設されている統一口座から、その店舗が金融機関に開設している店舗口座に振り込むことを、前記統一口座が開設されている金融機関のホスト装置に指示する、
請求項６に記載の取引処理方法。
【請求項８】
前記取引処理装置は、
前記抽選手段が、認証結果に含まれている処理通番の所定の桁が予め設定した値であったカード取引を当選とする、
請求項６または７に記載の取引処理方法。
【請求項９】
取引処理装置と、センタと、が補償装置を介してデータ通信可能に接続され、カード取引を処理する取引処理システムにおいて、
前記取引処理装置は、
カード取引にかかる取引認証データを入力する取引認証データ入力手段と、
前記取引認証データ入力手段で入力されたカード取引にかかる取引認証データを前記センタに送信する取引データ送信手段と、を備え、
前記センタは、
前記取引処理装置から送信されてきた前記取引認証データに、処理通番を採番する採番手段と、
前記採番手段が前記取引認証データに採番した処理通番を、この取引認証データに基づいてカード取引の可否を認証した認証結果に含ませて、前記取引処理装置に返信する認証結果返信手段と、を備え、
さらに、前記補償装置は、
前記センタから返信された認証結果に含まれている処理通番を用いて抽選し、当落を判定する抽選手段と、
前記抽選手段による抽選結果が当選であったカード取引について、前記取引データ送信手段が前記センタに送信した前記取引認証データの業務区分コードを、取消を示すコードに書き換え、この業務区分コードを書き換えた取引認証データを再度前記センタに送信し、当該カード取引を取り消す取消処理を行う取消手段と、を備えている、
取引処理システム。
【請求項１０】
取引処理装置と、センタと、が補償装置を介してデータ通信可能に接続され、カード取引を処理する取引処理方法において、
前記取引処理装置は、
取引データ送信手段により、取引認証データ入力手段で入力されたカード取引にかかる取引認証データを前記センタに送信し、
前記センタは、
採番手段により、前記取引処理装置から送信されてきた前記取引認証データに採番し、
認証結果返信手段により、前記採番手段が前記取引認証データに採番した処理通番を、この取引認証データに基づいてカード取引の可否を認証した認証結果に含ませて、前記取引処理装置に返信し、
さらに、前記補償装置は、
抽選手段により、前記センタから返信された認証結果に含まれている処理通番を用いて抽選し、当落を判定し、
取消手段により、前記抽選手段による抽選結果が当選であったカード取引について、前記取引データ送信手段が前記センタに送信した前記取引認証データの業務区分コードを、取消を示すコードに書き換え、この業務区分コードを書き換えた取引認証データを再度前記センタに送信し、当該カード取引を取り消す取消処理を行う、
取引処理方法。
【発明の詳細な説明】
【０００１】
【発明の属する技術分野】
この発明は、クレジットカードやデビットカードを利用したカード取引を処理する取引処理システム、取引処理装置、および取引処理方法に関する。
【０００２】
【従来の技術】
従来、商店街では、複数の店舗が共同して福引を実施していた。福引は、顧客の購買意欲を高め、各店舗の売上を向上させることを目的に実施されている。以下、一般的な福引の実施方法を示す。
【０００３】
店舗で、取引を行った顧客に福引券を渡す。その後、福引券を渡された顧客が抽選場所に行き、福引券と交換にくじを引く（抽選を行う）。くじに当たった顧客（福引の当選者）に予め用意してある賞品を渡す。
【０００４】
【発明が解決しようとする課題】
しかしながら、従来の福引の実施方法では、抽選場所の確保や、設置に手間がかかるという問題があった。
【０００５】
また、当選者に渡す賞品は、該福引を実施している商店街で事前に用意したものであり、渡す人（顧客）に合わせて用意されたものではなかった。このため、顧客にとって、賞品が不要なものである可能性が高く、顧客の購買意欲を十分に高めることができず、結果的に十分な販促効果（販売促進効果）が得られないという問題があった。
【０００６】
さらに、取引を行った店舗と、抽選場所とが別の場所であることから、店舗では当選者が誰であるのかわからなかった。このため、当選者に対する販促のためのアプローチ等が行えないという問題もあった。
【０００７】
この発明の目的は、十分な顧客サービス効果を奏するとともに、十分な販売促進効果が得られる取引処理システム、取引処理装置、および取引処理方法を提供することにある。
【０００８】
【課題を解決するための手段】
この発明の取引処理システムは、上記課題を解決するために以下の構成とした。
【０００９】
（１）取引処理装置と、センタと、がデータ通信可能に接続され、カード取引を処理する取引処理システムにおいて、
前記取引処理装置は、
カード取引にかかる取引認証データを入力する取引認証データ入力手段と、
前記取引認証データ入力手段で入力されたカード取引にかかる取引認証データを前記センタに送信する取引データ送信手段と、を備え、
前記センタは、
前記取引処理装置から送信されてきた前記取引認証データに、処理通番を採番する採番手段と、
前記採番手段が前記取引認証データに採番した処理通番を、この取引認証データに基づいてカード取引の可否を認証した認証結果に含ませて、前記取引処理装置に返信する認証結果返信手段と、を備え、
さらに、前記取引処理装置は、
前記センタから返信された認証結果に含まれている処理通番を用いて抽選し、当落を判定する抽選手段と、
前記抽選手段による抽選結果が当選であったカード取引について、前記取引データ送信手段が前記センタに送信した前記取引認証データの業務区分コードを、取消を示すコードに書き換え、この業務区分コードを書き換えた取引認証データを再度前記センタに送信し、当該カード取引を取り消す取消処理を行う取消手段と、を備えている。
【００１０】
この構成では、取引処理装置が入力されたカード取引にかかる取引認証データをセンタに送信し、センタがこの取引認証データに基づいて、この取引の可否を認証した認証結果を返信する。取引処理装置はこの認証結果に基づいてこのカード取引を処理する。
【００１１】
カード取引には、周知のようにクレジットカードを利用したクレジット取引や、デビットカード（金融機関のキャッシュカード）を利用したデビット取引がある。クレジット取引およびデビット取引は、取引処理装置において入力された取引金額や、カード情報を含む取引認証データをセンタであるＣＡＦＩＳ（Ｃｒｅｄｉｔ  Ａｎｄ  Ｆｉｎａｎｃｅ  Ｉｎｆｏｒｍａｔｉｏｎ  Ｓｗｉｔｃｈｉｎｇ  Ｓｙｓｔｅｍ）（株式会社エヌ・ティ・ティ・データの登録商標）に送信する。ＣＡＦＩＳには、カード会社や金融機関のホスト装置が接続されている。ＣＡＦＩＳは送信されてきた取引認証データを該当するカード会社または金融機関のホスト装置に転送し、取引の可否を含む認証結果を得る。そして、この認証結果を取引認証データを送信してきた取引処理装置に返信する。取引処理装置はこの認証結果に基づいてカード取引を処理する。
【００１２】
このカード取引ではＣＡＦＩＳがセンタとして機能している。ＣＡＦＩＳは、取引認証データが送信されてくるごとに、この取引認証データに送信されてきた順番を示す処理通番を採番している。
【００１３】
取引処理装置は、センタ（ＣＡＦＩＳ）が採番した処理通番を用いて抽選を行う。この処理通番は、認証結果に含まれている。
【００１４】
したがって、抽選場所を設けなくても福引が実施できるので、抽選場所の確保や設置に手間がかからない。また、店舗では取引を行った顧客毎に当選したかどうかがわかるので、当選者に対する販促のためのアプローチ等が適正に行え、十分な販売促進効果が得られる。
【００１６】
また、抽選結果が当選であったカード取引については、前記取引データ送信手段が前記センタに送信した前記取引認証データの業務区分コードを、取消を示すコードに書き換え、この業務区分コードを書き換えた取引認証データを再度前記センタに送信し、当該カード取引を取り消す取消処理を行う。したがって、当選した顧客は店舗でカード取引を行わなかったことになる。当選した顧客に、取消処理を行ったカード取引にかかる商品を賞品として引き渡せば、当選者にとって不要なものを賞品として渡すことがない。これにより、顧客の購買意欲を十分に高められ、結果的に十分な販促効果（販売促進効果）が得られる。
【００１７】
（２）前記取引処理装置と、前記センタと、は、補償装置を介してデータ通信可能に接続されており、
前記補償装置は、
前記取引処理装置が設置されている店舗毎に、前記取引処理装置の取消手段が取消処理を行ったカード取引の取引金額を集計する集計手段と、
店舗毎に、前記集計集計手段が集計した、取消処理が行われたカード取引の取引金額を、金融機関に開設されている統一口座から、その店舗が金融機関に開設している店舗口座に振り込むことを、前記統一口座が開設されている金融機関のホスト装置に指示する振込指示手段と、を備えている。
【００１８】
この構成では、上記取消処理を行ったカード取引の取引金額が補償されるので、商店街等の複数の店舗で共同して福引を実施したときに、当選者が多くでた店舗や、取消処理されたカード取引にかかる取引金額が高額であった店舗の負担が大きくなることもない。これにより、福引に参加した複数の店舗の負担を公平にできる。
【００１９】
（３）前記取引処理装置は、
前記抽選手段が、認証結果に含まれている処理通番の所定の桁が予め設定した値であったカード取引を当選とする手段である。
【００２０】
この構成では、処理通番の所定の桁が予め設定した値であれば当選である。
【００２１】
また、この発明の取引処理装置、および取引処理方法も、上記取引処理システムと同等の効果が得られる。
【００２２】
【発明の実施の形態】
図１は、この発明の実施形態である取引処理システムの構成を示す図である。図において１は店舗であり、各店舗にはクレジットカードを利用したカード取引（以下、クレジット取引と言う。）を処理するためのＣＡＴ（Ｃｒｅｄｉｔ  Ａｕｔｈｏｒｉｚａｔｉｏｎ  Ｔｅｒｍｉｎａｌ）２が設置されている。ＣＡＴ２はＩＳＤＮ等の公衆回線網３を介して本システムの運用センタ４に接続されている。運用センタ４には決済装置５が設置されている。決済装置５は、店舗１毎にクレジット取引を集計する機能を有している。この決済装置５は、クレジット取引の可否を認証するＣＡＦＩＳ（Ｃｒｅｄｉｔ  Ａｎｄ  Ｆｉｎａｎｃｅ  Ｉｎｆｏｒｍａｔｉｏｎ  Ｓｗｉｔｃｈｉｎｇ  Ｓｙｓｔｅｍ）６に接続されている。ＣＡＦＩＳ６には、クレジットカードを発行しているクレジットカード会社７（以下、単にカード会社７と言う。）が接続されている。金融機関８には、該金融機関８に設定されている口座を管理するホスト装置９が設けられている。
【００２３】
なお、上記ＣＡＴ２がこの発明でいう取引処理装置に相当し、上記決済装置５がこの発明でいう補償装置に相当し、上記ＣＡＦＩＳ６がこの発明でいうセンタに相当する。
【００２４】
図２は、ＣＡＴ２の構成を示すブロック図である。ＣＡＴ２は、本体の動作を制御する制御部１１と、入力操作を行うキーが配置された入力部１２と、本体の動作状態等を表示する表示部１３と、取引伝票を発行する印字部１４と、公衆回線網３を介したデータ通信を制御する通信部１５と、クレジットカードに記憶されているカードデータを読み取るカード処理部１６と、を備えている。入力部１２には、顧客が暗証番号を入力するためのキーパッドが設けられている。
【００２５】
決済装置５は、図１に示すように金融機関８のホスト装置９にも接続されている。金融機関８には、図３に示すように店舗１毎に店舗口座２１が設定されているとともに、統一口座２２が設定されている。統一口座２２は、金融機関８から当座貸越のサービスが提供される当座預金口座である。なお、店舗口座２１は普通預金口座であってもよいし、上記当座預金口座であってもよい。
【００２６】
上記当座貸越サービスとは、当座預金口座からの資金の引出しに対して、金融機関８が予め設定した一定金額まで資金が貸与されるサービスである。
【００２７】
また、金融機関８は該金融機関８に設定されている口座間において、一方の口座から他方の口座への振込時に振込手数料を発生させない、顧客サービスを実施している。したがって、店舗口座２１と統一口座２２との間の振込については振込手数料がかからない。
【００２８】
さらに、決済装置５は金融機関８のホスト装置９に対して統一口座２２から他の口座への振込を指示する機能を有している。
【００２９】
ＣＡＦＩＳ６は、クレジット取引に対して処理通番を採番する。処理通番については後述する。
【００３０】
この実施形態の取引処理システムは、クレジット取引を処理するシステムであり、また後述するように取引処理時にＣＡＦＩＳ６で採番された処理通番を抽選番号にした福引を行うシステムである。
【００３１】
例えば、当選番号を「８」とし、上記処理通番の下１桁が「８」であれば当選とする、当選確率が１０パーセントの福引や、当選番号を「８８」とし、上記処理通番の下２桁が「８８」であれば当選とする、当選確率が１パーセントの福引や、さらには上記処理通番の下３桁が同じ数字（所謂、ゾロ目）であれば当選とする、当選確率が１パーセントの福引（この場合当選番号が１０種類ある。）を実施できる。
【００３２】
なお、上記例は、ＣＡＦＩＳ６で採番された処理通番の所定の桁が予め設定した当選番号と一致したときに、当選とする福引の例である。当選番号や、処理通番をどのように利用するか（当選条件）については、福引を実施する者が任意に決めることができ、上記例に限定されることはない。
【００３３】
なお、ＣＡＴ２には、当選番号や上記処理通番の利用方法（当選条件）が予め設定される。
【００３４】
以下、この実施形態の取引処理システムの動作について説明する。図４は、ＣＡＴの動作を示すフローチャートである。店舗１に設置されているＣＡＴ２に、顧客のクレジットカードに記憶されているカードデータ、取引する商品の商品コード、取引金額、暗証番号等を取引認証データとして入力する（ｓ１）。ＣＡＴ２はこの取引認証データをＣＡＦＩＳ６に送信する（ｓ２）。図５にＣＡＴ２からＣＡＦＩＳ６に送信される取引認証データを示す。この取引認証データは、業務区分（売上、取消等）を示す業務区分コード、カードの種類を示すカード区分コード、カード会社７を示す会社コード、顧客を識別するための会員番号、クレジットカードの有効期限、顧客がキーパッドを操作して入力した暗証番号、商品を識別する商品コード、取引金額、取引にかかる税金額、およびデータの区切りを示すセパレータで構成されている。会社コード、会員番号および有効期限は、カード処理部１６がクレジットカードから読み取ったデータである。また、業務区分コードは、取引の認証時には売上を示すコードであり、後述する取消処理時には取消を示すコードである。
【００３５】
ＣＡＴ２から送信された取引認証データは、図１に示すように、運用センタ４の決済装置５を経由してＣＡＦＩＳ６に送られる。ＣＡＦＩＳ６は、この送信されてきた取引認証データに処理通番を採番する。
【００３６】
ここで、上記処理通番について説明する。ＣＡＦＩＳ６には、全国に設置されているＣＡＴ２から取引認証データが送信されてくる。ＣＡＴ２はすでに全国に５０万台以上設置されており、ＣＡＦＩＳ６には取引認証データが１日に数十万回送信されてきている。ＣＡＦＩＳ６が取引認証データに採番する処理通番は、該取引認証データが送信されてきた順番を示す番号（カウント値）である。
【００３７】
例えば、取引認証データが１日に５０万回ＣＡＦＩＳ６に送信されくるとすると、１秒間に平均５．７回送信されてきていることになる。しかし、ＣＡＴ２が設置されている店舗１の一般的な営業時間等を考慮すると、１秒間に約１１回送信されてきていることになる。したがって、処理通番は１秒間に平均１１カウント進むカウント値である。
【００３８】
このように、上記処理通番は猛烈なスピードで進み、またこのスピードが随時変化するカウント値でもあることから、上記処理通番の下１桁や、下２桁の数値は、アトランダムな数値であるといえる。
【００３９】
ＣＡＦＩＳ６は、送信されてきた取引認証データに上記処理通番を採番すると、この取引認証データをカード会社７（取引認証データに含まれる会社コードで識別されるカード会社７）に転送する。カード会社７は、取引の可否を判定した認証結果をＣＡＦＩＳ６に返す。ＣＡＦＩＳ６は、カード会社９から取引の可否を含む認証結果を得ると、取引認証データを送信してきたＣＡＴ２に返信する。ＣＡＴ２に返信される認証結果は、上記取引認証データと同様に決済装置５を通過する。
【００４０】
図６にＣＡＦＩＳ６からＣＡＴ２に返信される認証結果のデータ構成（認証結果データの構成）を示す。認証結果データには、取引の認証結果を示すエラーコード、ＣＡＦＩＳ６で受け付けた処理年月日、ＣＡＦＩＳ６で受け付けた処理時間、ＣＡＦＩＳ６で受け付けた処理通番、顧客の会員番号、クレジットカードの有効期限、取引の承認番号、カード会社の連絡先電話番号、取引件数、取引金額、取消件数、取消金額を示すデータが含まれている。取引件数、取引金額、取消件数、取消金額は累計である。
【００４１】
ＣＡＴ２はＣＡＦＩＳ６から上記認証結果データを受信すると（ｓ３）、取引の可否を判定する（ｓ４）。ｓ４で、取引不可であると判定すると、取引を中止する取引中止処理を行って本処理を終了する（ｓ５）。一方、ｓ４で取引可であると判定すると、印字部１４で取引内容を印字した取引伝票の発行を開始する（ｓ６）。
【００４２】
図７に、取引伝票の印字例を示す。取引伝票には、取引内容とともに、ＣＡＦＩＳ６で採番された処理通番も印字されている。
【００４３】
ＣＡＴ２は、ｓ６で取引伝票の発行を開始すると、ＣＡＦＩＳ６からの上記認証結果データに含まれる処理通番による抽選を行い、当落を判定する（ｓ７）。ＣＡＴ２は、予め設定されている当選条件に基づいて当落を判定する。例えば、上記処理通番の下１桁が「８」であれば当選とし、それ以外を落選とする。または、上記処理通番の下２桁が「８８」であれば当選とし、それ以外を落選とする。さらには、上記処理通番の下３桁が同じ数字（ゾロ目）であれば当選とし、それ以外を落選とする。
【００４４】
ここで、抽選結果が当選でなければ、ｓ６で開始した取引伝票の発行完了を待って本処理を終了する。一方、抽選結果が当選であれば、このクレジット取引を取り消す取消処理を行う（ｓ８）。
【００４５】
この取消処理では、上記ｓ２で送信した取引認証データにおける業務区分コードを取消を示すコードに書き換えた取引認証データを再度ＣＡＦＩＳ６に送信する。この取消処理でＣＡＦＩＳ６に送信された取引認証データにも上記処理通番が採番され、カード会社７に送られる。カード会社７では、この取消処理にかかる取引認証データに基づいて、該当するクレジット取引を取り消し、その結果を認証結果としてＣＡＦＩＳ６に送る。ＣＡＦＩＳ６はこの取消処理にかかる認証結果をＣＡＴ２に返信する。
【００４６】
ＣＡＴ２は、ｓ８の取消処理にかかる認証結果を受信するまでに、上記ｓ６で開始した取引伝票の印字を完了している。ＣＡＴ２は、取消処理にかかる認証結果を受信すると、印字部１４で取引内容（取り消した取引の内容）を印字した取引伝票（取消伝票）を発行して本処理を終了する。
【００４７】
なお、ｓ８にかかる取消処理は、上記業務区分コードを取消を示すコードに書き換えた取引認証データをＣＡＦＩＳ６に送信する処理から、印字部１４で取引内容（取り消した取引の内容）を印字した取引伝票（取消伝票）を発行するまでの一連の処理である。また、当選者には、上記取消伝票も渡される。
【００４８】
このように、この実施形態の取引処理システムではクレジット取引において、ＣＡＦＩＳ６で採番される処理通番を利用した抽選が行われる。上述したように、ＣＡＦＩＳ６で採番される処理通番は猛烈なスピードで進み、またこのスピードが随時変化するカウント値であることから、公平な抽選が行える。特に、上記処理通番の下１桁や、下２桁の数値はアトランダムな数値であるので、処理通番の下１桁や、下２桁を当選条件に入れることで、一層公平な抽選が行える。
【００４９】
また、クレジット取引が取り消された当選者には、クレジット取引にかかる商品が店舗１から賞品として渡される。すなわち、顧客は自分が店舗１で購入する予定であった商品を賞品として受け取る。したがって、当選者が必要でないものを該当選者に賞品として渡すことがなく、顧客サービスが十分に向上できる。
【００５０】
また、クレジット取引時に抽選が行われるので、臨場感あふれるサービスが提供できるとともに、従来のように抽選場所を設けなくてもよいので抽選場所の確保や設置の手間がかからない。
【００５１】
また、当選者は購入予定であった商品を賞品として受け取ったことで、商品の購入予算が浮いたことになる。一方、店舗１では当選者がその場で確認できるので、商品の購入予算が浮いた顧客（当選者）に対して、さらに別の商品の購入をすすめる等、効果的なアプローチが行え、十分な販促効果が得られる。
【００５２】
さらに、顧客が購入する商品を小分けして、何度もクレジット取引を行ったとしても、この場合当選時に受け取る賞品も小分けされることになるので、このような行為が問題になることもない。
【００５３】
なお、当選時に取り消すクレジット取引の取引金額について上限、例えば１０万円、を設けてもよい。
【００５４】
また、ｓ７における当落の判定結果をＣＡＴ２の表示部１３に表示してもよいし、また音声で当落を出力するようにしてもよい。
【００５５】
さらに、上記実施形態では、ＣＡＴ２がＣＡＦＩＳ６から返信されてきた認証結果データに含まれる処理通番から当落を自動判定するとしたが、ｓ６で発行された取引伝票に印字されている処理通番を顧客および店舗１の店員が確認するようにしてもよい。この場合、従来のＣＡＴ２で上記処理通番を用いた上述の福引が実施できる。なお、当選者がでたときには、店員がＣＡＴ２において当選者のクレジット取引を取り消すための操作を行えばよい。
【００５６】
つぎに、この実施形態の取引処理システムにおける決済装置５の動作について説明する。上述したように、ＣＡＴ２とＣＡＦＩＳ６との間で送受信される取引認証データおよび認証結果データは決済装置５を通過している。決済装置５は、店舗１毎に処理されたクレジット取引の取引データを集計し記憶している。したがって、決済装置５は店舗１毎に当選者のクレジット取引（取り消されたクレジット取引）を集計できる
上述したように、当選者についてはクレジット取引が取り消されているので、このクレジット取引についてはカード会社７から店舗１に取引金額が入金されない。通常、複数の店舗１で福引を実施する場合、各店舗１の負担を公平にする必要がある。
【００５７】
図３に示した統一口座２２には、上記処理通番を利用した福引に参加している各店舗１の負担金が入金されている。決済装置５は、店舗１毎に当選者のクレジット取引（取り消されたクレジット取引）の合計金額を算出する。決済装置５は、金融機関８のホスト装置９に対して、店舗１毎に算出した上記合計金額に基づいて、統一口座２２から各店舗口座２１への振込を指示する。金融機関１０のホスト装置１１は、この指示にしたがって上記振込を行う。
【００５８】
このように、当選者のクレジット取引にかかる取引金額については、統一口座２２から店舗口座２１に振り込まれるので、店舗１では当選者のクレジット取引にかかる取引金額が補償されている。したがって、当選者が多くでた店舗１や、当選者の取引金額が高額であった店舗１の負担が大きくなることがなく、福引に参加した複数の店舗１の負担を公平にできる。また、店舗口座２１と統一口座２２とは、同一の金融機関８に設けられているので、振込手数料が発生することがなく、運用コストも十分に抑えられる。
【００５９】
また、上記実施形態ではクレジット取引を例にしたが、図８に示す銀行のキャッシュカードを利用したデビット取引にも適用でき、同様の効果が得られる。デビット取引はクレジット取引と同様にＣＡＦＩＳ６を利用しており、上記処理通番が採番される取引である。
【００６０】
なお、図８に示すクリアリングセンタ３１は銀行間の精算を行い、資金決済幹事行３２は図１に示すカード会社７に相当し、銀行間の資金の流れを集中管理する。
【００６１】
さらに、上記実施形態ではＣＡＴ２が処理通番を用いて当落を判定するとしたが、決済装置５でＣＡＦＩＳ６からの認証結果データが通過するときに当落を判定させてもよい。また、当選と判定した場合、取消処理を決済装置５にて起こすようにしてもよい。また、クレジットカード会社７が上記サービスを実施してもよい。この場合、クレジットカード会社７がクレジット取引の認証処理と、当落の判定を行い、当選者についてはクレジット取引の取り消しを行えばよい。ただし、クレジットカード会社７は、取り消したクレジット取引にかかる取引金額を取引が行われた店舗１に入金する。
【００６２】
【発明の効果】
以上のように、この発明によれば、抽選場所を設けなくても福引が実施できるので、抽選場所の確保や設置に手間がかからない。また、店舗では取引を行った顧客毎に当選したかどうかがわかるので、当選者に対する販促のためのアプローチ等が適正に行える。よって、十分な販売促進効果が得られる。
【００６３】
また、当選者に不要なものを賞品として渡すことがないので、顧客の購買意欲を十分に高められ、結果的に十分な販売促進効果が得られる。
【００６４】
さらに、商店街等の複数の店舗で共同して福引を実施したときに、当選者が多くでた店舗や、返品処理されたカード取引にかかる取引金額が高額であった店舗の負担が大きくなることがなく、福引に参加した複数の店舗の負担を公平にできる。
【図面の簡単な説明】
【図１】この発明の実施形態である取引処理システムの構成を示すブロック図である。
【図２】この発明の実施形態であるＣＡＴの構成を示す図である。
【図３】金融期間に設定される店舗口座および統一口座における資金の流れを説明する図である。
【図４】この発明の実施形態であるＣＡＴの動作を示すフローチャートである。
【図５】ＣＡＴからＣＡＦＩＳに送信される取引認証データの構成を示す図である。
【図６】ＣＡＦＩＳからＣＡＴに送信される認証結果データの構成を示す図である。運用センタで発行されるクレジット取引代金明細書を示す図である。
【図７】ＣＡＴで発行される取引伝票を示す図である。
【図８】この発明の別の実施形態である取引処理システムの構成を示すブロック図である。
【符号の説明】
１−店舗
２−ＣＡＴ
４−運用センタ
５−決済装置
６−ＣＡＦＩＳ
７−クレジットカード会社（カード会社）
８−金融期間
９−ホスト装置
【図１】
0003946967.tif 000002
【図２】
0003946967.tif 000003
【図３】
0003946967.tif 000004
【図４】
0003946967.tif 000005
【図５】
0003946967.tif 000006
【図６】
0003946967.tif 000007
【図７】
0003946967.tif 000008
【図８】
0003946967.tif 000009